(57)【特許請求の範囲】
【請求項１】
チャンネルサーチの指示に応じて、現在地点において受信可能な放送局を検索し、検索された放送局の放送波を受信するチューナと、
前記チューナにより受信された放送波に含まれる情報に基づいて、前記検索された放送局がエリア限定ワンセグ放送の放送局であるか否かを判定する制御手段と、
を有し、
前記制御手段は、エリア限定ワンセグ放送の放送局であると判定されたすべての放送局の受信周波数をプリセットメモリに設定することを特徴とするデジタル放送受信装置。
【請求項２】
前記制御手段は、複数の前記エリア限定ワンセグ放送が同一の放送内容であると判定したとき、当該複数のエリア限定ワンセグ放送のうちの受信状態が最良の放送局の受信周波数を前記プリセットメモリに設定することを特徴とする請求項１に記載のデジタル放送受信装置。
【請求項３】
前記制御手段は、前記放送局がエリア限定ワンセグ放送であるか否かの判定を、ネットワーク識別情報を基に判定することを特徴とする請求項２に記載のデジタル放送受信装置。
【請求項４】
前記制御手段は、前記受信された放送波に含まれる伝送制御情報から放送形式がワンセグ放送のみと判定したとき、エリア限定ワンセグ放送であると判定することを特徴とする請求項２に記載のデジタル放送受信装置。
【請求項５】
前記制御手段は、前記受信された放送波に含まれる伝送制御情報から放送形式がワンセグ放送のみでないと判定したとき、前記放送波に含まれるネットワーク識別情報に基づいて、前記放送局がエリア限定ワンセグ放送であるか否かの判定を行うことを特徴とする請求項２に記載のデジタル放送受信装置。
【請求項６】
地上波デジタル放送受信装置におけるデジタル放送受信方法であって、
チャンネルサーチの指示に応じて、現在地点において受信可能な放送局を検索するステップと、
前記検索された放送局の放送波を受信するステップと、
前記受信された放送波に含まれる情報に基づいて、前記検索された放送局がエリア限定ワンセグ放送の放送局か否かを判定するステップと、
エリア限定ワンセグ放送の放送局であると判定されたすべての放送局の受信周波数をプリセットメモリに設定するステップと、
を有することを特徴とするデジタル放送受信方法。
【請求項７】
前記放送局の受信周波数をプリセットメモリに設定するステップは、
複数の前記エリア限定ワンセグ放送を抽出するステップと、
当該複数のエリア限定ワンセグ放送の放送内容を検出するステップと、
当該放送内容が同一の複数のエリア限定ワンセグ放送のうち受信状態が最良の放送局の受信周波数を前記プリセットメモリに設定するステップと、
を含むことを特徴とする請求項６に記載のデジタル放送受信方法。
【請求項８】
前記エリア限定ワンセグ放送の放送局か否かを判定するステップでは、ネットワーク識別情報を基に判定することを特徴とする請求項７に記載のデジタル放送受信方法。
【請求項９】
前記エリア限定ワンセグ放送の放送局か否かを判定するステップは、
放送波に含まれる伝送制御情報を検出するステップと、
当該伝送制御情報から放送形式がワンセグ放送のみと判定したとき、当該放送がエリア限定ワンセグ放送であると判定するステップと、
を含むことを特徴とする請求項７に記載のデジタル放送受信方法。
【請求項１０】
前記エリア限定ワンセグ放送の放送局か否かを判定するステップは、
放送波に含まれる伝送制御情報を検出するステップと、
当該伝送制御情報から放送形式がワンセグ放送のみでないと判定したとき、ネットワーク識別情報を基に判定するステップと、
を含むことを特徴とする請求項７に記載のデジタル放送受信方法。
【発明の詳細な説明】
【技術分野】
【０００１】
本発明は、デジタル放送受信装置及びデジタル放送受信方法に関し、特に、地域限定の地上デジタル放送の受信に好適なデジタル放送受信装置及びデジタル放送受信方法に関する。
【背景技術】
【０００２】
近年、放送はアナログ放送から、高画質・高音質な出力が可能であるとともに各種データの多重等が可能なデジタル放送に移行してきている。日本で採用されている地上デジタル放送は６ＭＨｚの１つのチャンネルの周波数帯域幅を１３個のセグメントに分割した構造となっており、そのうちの１セグメント（ワンセグという）を画面の小さい携帯電話や車載機などの携帯機器向けの放送に割り当てられている。また、ハイビジョン放送には１２セグメント（フルセグという）、標準画質放送には４セグメントが割り当てられている。
【０００３】
地上デジタル放送を放送する放送局は、地上アナログ放送と同様に、地域ごとに異なっているため、地上デジタル放送を受信する場合には、周波数を全局スキャンして受信可能な放送波のチャンネルリストを設定するためのチャンネルスキャンが行われる。また、車載機や携帯端末等の移動体で地上デジタル放送を受信する場合には、受信環境が移動とともに変化するため、チャンネルリストの更新が必要となる。
【０００４】
隣接する放送局の間には送信エリアが重複する領域が存在する。この重複領域において、同一放送局の放送が複数のチャンネルで受信できる場合があり、チャンネルサーチによって同一放送局を重複してチャンネル登録してしまうことになる。
【０００５】
これに対し、特許文献１では、チャンネルスキャンにおいて、受信可能なチャンネルにより得られた選局情報を順次メモリに記憶していくと共に、同一局が既にサーチされているときにはチューナから得られるＣ／Ｎ又はエラーレートに基づき、その優れている方を選択してメモリに記憶させ、同一放送局の二重登録を防止する技術が記載されている。
【先行技術文献】
【特許文献】
【０００６】
【特許文献１】特開２００２−３２０１５２号公報
【発明の概要】
【発明が解決しようとする課題】
【０００７】
上記したワンセグ放送では、放送範囲が最大１００ｍ程度の特定の地域に限定し、放送免許がなくても電波を送出できる「エリア限定ワンセグ放送」を行うことが可能である。      
【０００８】
エリア限定ワンセグ放送は、イベント会場などで利用されることにより、携帯電話機等の移動体を使ってその放送を受信すれば、イベントに関する詳細な情報を簡単に取得することができ、ユーザにとって便利なシステムである。また、複数のエリア限定ワンセグ放送により、種々の放送を視聴することが可能となる。
【０００９】
このようなエリア限定ワンセグ放送も、隣接する放送局の送信エリアが重複する領域が存在する場合がある。上記したように送信エリアの重複領域においてチャンネルサーチを行ったとき、異なる放送局の放送であれば、それぞれの放送局がチャンネル登録される。
【００１０】
しかし、エリア限定ワンセグ放送は、ネットワーク識別情報をすべて同一の情報にすることが規定されている。そのため、複数のエリア限定ワンセグ放送が重なる領域でチャンネルサーチを行うと、エリア限定ワンセグ放送は同一の放送とみなされるため、いずれか一つのエリア限定ワンセグ放送だけが登録されることになる。
【００１１】
本発明は、上記従来の課題に鑑みてなされたものであり、複数の異なるエリア限定ワンセグ放送がサーチされたときに、放送内容の異なる放送をすべて登録可能にするデジタル放送受信装置及びデジタル放送受信方法を提供することを目的とする。
【課題を解決するための手段】
【００１２】
上述した従来技術の課題を解決するため、本発明の一形態によれば、チャンネルサーチの指示に応じて、現在地点において受信可能な放送局を検索し、検索された放送局の放送波を受信するチューナと、前記チューナにより受信された放送波に含まれる情報に基づいて、前記検索された放送局がエリア限定ワンセグ放送の放送局であるか否かを判定する制御手段と、を有し、前記制御手段は、エリア限定ワンセグ放送の放送局であると判定されたすべての放送局の受信周波数をプリセットメモリに設定することを特徴とするデジタル放送受信装置が提供される。
【００１３】
この形態に係るデジタル放送受信装置において、前記制御手段は、複数の前記エリア限定ワンセグ放送が同一の放送内容であると判定したとき、当該複数のエリア限定ワンセグ放送のうちの受信状態が最良の放送局の受信周波数を前記プリセットメモリに設定するようにしてもよく、前記制御手段は、前記放送局がエリア限定ワンセグ放送であるか否かの判定を、ネットワーク識別情報を基に判定するようにしてもよく、前記制御手段は、前記受信された放送波に含まれる伝送制御情報に基づいて、前記放送形式がワンセグ放送のみであると判定したとき、エリア限定ワンセグ放送であると判定するようにしてもよく、前記制御手段は、前記受信された放送波に含まれる伝送制御情報に基づいて、前記放送形式がワンセグ放送のみでないと判定したとき、前記放送波に含まれるネットワーク識別情報に基づいて、前記放送局がエリア限定ワンセグ放送であるか否かの判定を行うようにしてもよい。
【００１４】
また、本発明の他の形態によれば、地上波デジタル放送受信装置におけるデジタル放送受信方法であって、チャンネルサーチの指示に応じて、現在地点において受信可能な放送局を検索するステップと、前記検索された放送局の放送波を受信するステップと、前記受信された放送波に含まれる情報に基づいて、前記検索された放送局がエリア限定ワンセグ放送の放送局か否かを判定するステップと、エリア限定ワンセグ放送の放送局であると判定されたすべての放送局の受信周波数をプリセットメモリに設定するステップと、を有することを特徴とするデジタル放送受信方法が提供される。
【００１５】
この形態に係るデジタル放送受信方法において、前記放送局の受信周波数をプリセットメモリに設定するステップは、複数の前記エリア限定ワンセグ放送を抽出するステップと、当該複数のエリア限定ワンセグ放送の放送内容を検出するステップと、当該放送内容が同一の複数のエリア限定ワンセグ放送のうち受信状態が最良の放送局の受信周波数を前記プリセットメモリに設定するステップと、を含むようにしてもよく、前記エリア限定ワンセグ放送の放送局か否かを判定するステップでは、ネットワーク識別情報を基に判定するようにしてもよく、前記エリア限定ワンセグ放送の放送局か否かを判定するステップは、放送波に含まれる伝送制御情報を検出するステップと、当該伝送制御情報から放送形式がワンセグ放送のみと判定したとき、当該放送がエリア限定ワンセグ放送であると判定するステップと、を含むようにしてもよい。
【発明の効果】
【００１６】
本発明においては、地上デジタル放送においてエリア限定ワンセグ放送が行われているときに、受信可能な複数のエリア限定ワンセグ放送のすべてを登録するようにしている。また、エリア限定ワンセグ放送が同一内容の放送のときには、そのうちの受信状態が最良の放送局を登録するようにしている。
【００１７】
これにより、エリア限定ワンセグ放送のネットワーク識別が同一であるために、放送内容が異なる放送であってもいずれか一つの放送局だけが選択されて登録されてしまうことを回避でき、異なる放送のすべてを視聴可能にすることができる。
【図面の簡単な説明】
【００１８】
【図１】本発明の実施形態に係るデジタル放送受信装置の構成を示すブロック図である。
【図２】エリア限定ワンセグ放送の放送形態を説明する図である。
【図３】デジタル放送受信装置のチャンネルスキャン処理の一例を示すフローチャート（その１）である。
【図４】デジタル放送受信装置のチャンネルスキャン処理の一例を示すフローチャート（その２）である。
【発明を実施するための形態】
【００１９】
以下、本発明の実施の形態について、図面を参照して説明する。
【００２０】
図１は、本発明の実施形態に係るデジタル放送受信装置１００の構成を示すブロック図である。この図１に示すように、デジタル放送受信装置１００は、アンテナ１と、チューナ２と、ＯＦＤＭ復調部３と、ＴＭＣＣ復号部４と、誤り訂正部５と、デマルチプレクサ部６と、オーディオデコーダ部７と、ビデオデコーダ部８と、データデコーダ部９と、制御部１０と、プリセットメモリ１１と、操作部１２と、表示部１３により構成されている。
【００２１】
アンテナ１は、地上デジタル放送の電波を受信する。チューナ２は、アンテナ１によって受信した地上デジタル放送の電波から所望のチャンネルに合致した受信周波数の放送波信号を選択的に抽出して出力する。
【００２２】
また、チューナ２は、チャンネルシークやチャンネルスキャンなどのチャンネルサーチの実行が操作部１２の操作により指示されたときに、現在受信可能なチャンネル（放送局）を検索する。すなわち、チューナ２は、受信周波数の設定を所定量ずつ変化させながら、ＯＦＤＭ(Orthogonal Frequency Division Multiplexing)の同期がとれる受信周波数を検索する。そして、ＯＦＤＭの同期がとれた受信周波数の放送波信号を地上デジタル放送の電波から抽出して出力する。
【００２３】
ＯＦＤＭ復調部３は、チューナ２で受信した放送波信号をＯＦＤＭ復調して、受信信号と映像、音声、データ信号などの論理チャンネルが多重化された信号であるトランスポートストリーム(Transport Stream：以下、ＴＳと記す)を得る。ＯＦＤＭ復調部３は、復調処理の際にＯＦＤＭの同期確立に成功すると、そのことをＴＭＣＣ復号部４及び制御部１０に通知する。これに応じて制御部１０は、同期がとれたことをチューナ２に通知する。チューナ２は、この制御部１０からの通知の有無を見ながらチャンネルサーチを行う。
【００２４】
ＴＭＣＣ復号部４は、ＯＦＤＭ復調部３から同期確立の通知を受けて、チューナ２で受信した放送波信号をＴＭＣＣ復号して伝送制御信号であるＴＭＣＣ(Transmission and Multiplexing Configuration and Control)情報を得る。
【００２５】
誤り訂正部５は、ＴＭＣＣ復号部４により復号されたＴＭＣＣ情報をもとに、ＯＦＤＭ復調部３により復調されたＴＳに対して、伝送路で発生した誤りの訂正を実行する。
【００２６】
ＴＭＣＣ情報は、システム識別情報、部分受信フラグ、Ａ階層伝送パラメータ、Ｂ階層伝送パラメータ、Ｃ階層伝送パラメータなどの情報を含んでいる。システム識別情報は、放送波のコンテンツがテレビか音声かの区別を示す情報である。部分受信フラグは、セグメントの部分受信があるか否かを示す情報である。部分受信とは、１つのチャンネルの周波数帯域幅を分割した１３セグメントのうち、一部のセグメントのみで放送波を受信すること、つまりワンセグ放送の受信を意味する。放送形式がワンセグのみ、または、フルセグとワンセグの両方に対応している場合は、部分受信フラグは「あり」となる。一方、放送形式がフルセグのみに対応している場合は、部分受信フラグは「なし」となる。
【００２７】
Ａ階層伝送パラメータは、ワンセグ放送に関する各種伝送パラメータを示す情報である。Ｂ階層伝送パラメータは、ハイビジョン放送に関する各種伝送パラメータを示す情報である。Ｃ階層伝送パラメータは、標準画質放送に関する各種伝送パラメータを示す情報である。放送形式がワンセグのみに対応している場合、Ｂ階層伝送パラメータやＣ階層伝送パラメータは存在しない。
【００２８】
デマルチプレクサ部６は、多重化されているＴＳを分離して映像ストリーム、音声ストリーム及びデータストリームを得る。そして、デマルチプレクサ部６は、音声ストリームをオーディオデコータ部７に出力し、映像ストリームをビデオデコーダ部８に出力し、データストリームをデータデコーダ部９に出力する。ここで、データストリームには、ＮＩＴ(Network Information Table)、ＥＩＴ(Event Information Table)などの情報が含まれている。ＮＩＴには、ネットワーク識別情報、伝送モード、ガードインターバルの値などが含まれている。また、ＥＩＴには、番組の名称、放送日時、内容の説明などの番組に関する情報が含まれている。
【００２９】
オーディオデコーダ部７は、入力した音声ストリームをデコードして音声信号として出力する。ビデオデコーダ部８は、入力した映像ストリームをデコードして映像信号として出力する。データデコーダ部９は、入力したデータストリームをデコードして制御データとして制御部１０に出力する。制御部１０に出力される制御データの中には、ＮＩＴ及びＥＩＴが含まれている。
【００３０】
制御部１０は、操作部１２の操作によってチャンネル設定の制御信号が入力されたときに、チューナ２が受信するチャンネルを決定し、このチャンネルに合致する受信周波数をチューナ２に設定する。
【００３１】
また、制御部１０は、チャンネルスキャンを実行するとき、受信可能なチャンネルのリストを作成するために、地上デジタル放送の受信可能周波数帯の中で最も低い周波数にチューナ２の受信周波数を設定する。このときＯＦＤＭ復調部３から同期確立の通知が送られてこない場合は、チューナ２の受信周波数を一定量だけ変化させて設定する。一方、ＯＦＤＭ復調部３から同期確立の通知が送られてきたとき、制御部１０はそのときの受信周波数（チャンネル）をプリセットメモリ１１に登録する。このような登録動作を、プリセットメモリ１１にあらかじめ用意されたチャンネル数だけ行った後、制御部１０はチャンネルスキャンの動作を停止する。
【００３２】
また、制御部１０は、複数の異なるエリア限定ワンセグ放送が受信可能な場合に、それら複数の放送局の受信周波数をプリセットメモリ１１に登録する。
【００３３】
操作部１２には、デジタル放送受信装置１００の操作に必要な操作ボタン等が設けられている。表示部１３は、例えば液晶表示装置（ＬＣＤ）で構成され、受信したデジタル放送の映像を表示する。また、種々の指示を入力するメニュー画面を表示する。表示部にタッチパネルを設け、ユーザからの指示を入力する場合には、操作部１２として機能する。
【００３４】
このように構成されたデジタル放送受信装置１００において、エリア限定ワンセグ放送が放送されているエリアにおいて、複数のエリア限定ワンセグ放送を含む受信可能な放送を受信したとき、異なる内容のエリア限定ワンセグ放送であれば、それらをすべてプリセットメモリに登録するようにする。
【００３５】
以下に、このエリア限定ワンセグ放送を検出して登録するチャンネルスキャン処理について、図２から図４を参照しながら説明する。
【００３６】
図２は、エリア限定ワンセグ放送が複数放送される状況を示した模式図である。図２に示すように、あるエリア２１内において複数の放送局がエリア限定ワンセグ放送局として存在する場合を想定する。図２では、複数のエリア限定ワンセグ放送局（以下、単に放送局とも呼ぶ）（２２ｘ、２２ｙ、２３ｘ、２３ｙ、２３ｚ、２４ｘ、２４ｙ）が存在している場合を示している。
【００３７】
エリア限定ワンセグ放送は、エリア限定ワンセグ放送であることを示すために、ネットワーク識別情報はすべて同一の“０ｘ７Ｅ８Ｅ”に規定されている。従って、チャンネルスキャンの際にチューナ２により受信された放送局の放送波信号に含まれるネットワーク識別情報が“０ｘ７Ｅ８Ｅ”であるか否かによって、検索された放送局がエリア限定ワンセグ放送の放送局か否かを判定する。
【００３８】
図２の放送局２２ｘは送信エリア２２ａを有し、放送局２２ｙは送信エリア２２ｂを有している。また、この二つの放送局２２ｘ、２２ｙにより、重複する送信エリア２２ｃが存在する。
【００３９】
ネットワーク識別情報が同一の放送が受信されたときには、通常のスキャン処理では、そのうちの最も受信感度がよい放送局を選択するようになっている。そのため、重複する送信エリア２２ｃでこの処理を行うと、放送局が異なり放送内容が異なるにもかかわらず、ネットワーク識別情報が同一であるため、同一の放送局とみなされ、一つのエリア限定ワンセグ放送だけが登録されることになる。
【００４０】
また、隣接する放送局が３つ存在する場合も同様な状況が発生する。例えば、送信エリア２３ａを有する放送局２３ｘと送信エリア２３ｂを有する放送局２３ｙにより重複する送信エリア２３ｄが存在し、放送局２３ｘと送信エリア２３ｃを有する放送局２３ｚにより重複する送信エリア２３ｅ等が存在する。また、放送局２３ｘ、２３ｙ、２３ｚにより重複する送信エリア２３ｇが存在する。このように重複する送信エリアでは、一つのエリア限定ワンセグ放送だけが登録されることになる。
【００４１】
また、図２の放送局２４ｘと放送局２４ｙは、同一の内容を放送しているものとする。この場合、放送局２４ｘの送信エリア２４ａと放送局２４ｙの送信エリア２４ｂとの重複領域２４ｃにおいてチャンネルサーチが行われたときに、複数の同一内容の放送が登録されないようにする。具体的には、チャンネルサーチにより既に登録された放送局と、新たに登録しようとする放送局との放送内容を、データデコーダ部９から取得するＥＩＴを基に検出し、放送内容が同一のときには、受信状態の良好な放送局を登録するようにする。
【００４２】
本実施形態では、放送内容が異なる複数のエリア限定ワンセグ放送のすべてを登録する処理を行う。図３は、デジタル放送受信装置１００が行うチャンネルスキャン処理の一例を示すフローチャートである。この図３に示すフローチャートは、操作部１２の操作によってチャンネルスキャンの実行が指示されたときに開始する。
【００４３】
まず、図３のステップＳ１１において、制御部１０は、地上デジタル放送の受信可能周波数帯の中で最も低い最初の周波数（１３ｃｈ）にチューナ２の受信周波数を設定してチューナ２にチューニングの指示を出す。
【００４４】
次のステップＳ１２において、指示を受けたチューナ２は、最初の周波数に受信周波数をチューニングする。
【００４５】
次のステップＳ１３において、ＯＦＤＭ復調部３は、ＯＦＤＭ復調の手順に従って伝送モードとガードインターバルを推定する。
【００４６】
次のステップＳ１４において、ＯＦＤＭ復調部３は、推定した伝送モードとガードインターバルとに従ってＦＦＴ（高速フーリエ変換）処理を行い、ＯＦＤＭ同期を試みる。
【００４７】
次のステップＳ１５において、ＯＦＤＭ復調部３は、同期を確立できたかどうかを判定する。同期を確立できないときはステップＳ２３に移行し、同期を確立できたときは、ステップＳ１６に移行する。
【００４８】
次のステップＳ１６において、ＴＭＣＣ復号部４は、チューナ２で受信した放送波信号を復号してＴＭＣＣ情報を取得する。
【００４９】
次のステップＳ１７において、ＯＦＤＭ復調部３から出力されるＴＳに対して誤り訂正部５がＴＭＣＣ情報を基に誤り訂正を行うとともに、デマルチプレクサ部６がＴＳを分離して映像ストリーム、音声ストリーム及びデータストリームを取得する。
【００５０】
次のステップＳ１８において、データデコーダ部９は、デマルチプレクサ部６より入力したデータストリームをデコードし、ＮＩＴ及びＥＩＴを含む制御データを生成する。制御部１０は、ＮＩＴを含んだ制御データを入力する。
【００５１】
次のステップＳ１９において、制御部１０は、ＮＩＴに含まれるネットワーク識別情報の値が“０ｘ７Ｅ８Ｅ”であるか否かを判定する。ネットワーク識別情報の値が“０ｘ７Ｅ８Ｅ”であれば、次のステップＳ２０に移行し、ステップＳ１２でチューニングされた受信周波数をプリセットメモリ１１に登録する。一方、ネットワーク識別情報の値が“０ｘ７Ｅ８Ｅ”でないときは、ステップＳ２１に移行する。
【００５２】
ステップＳ２１において、ステップＳ１２でチューニングされた受信周波数が既にプリセットメモリ１１に登録されているか否かを判定する。登録されていない場合は、ステップＳ２０に移行し、その受信周波数をプリセットメモリ１１に登録する。既に登録されている場合には、ステップＳ２２に移行する。
【００５３】
次のステップＳ２２において、電波受信状態の良い周波数を選択する。既に登録されている放送局とステップＳ１２で取得した放送局のＣ／Ｎ比（搬送波電力対雑音電力比）を比較し、その値が良い方を選択する。また、評価基準としては、Ｃ／Ｎの他に、受信強度やＢＥＲなどの受信レベルの情報を使用してもよい。
【００５４】
ステップＳ２３では、制御部１０において、現在検索した周波数が最高周波数（６２ｃｈ）であるか否かを判定する。最高周波数でない場合は、ステップＳ２４においてチューナ２の受信周波数を一定量だけ変化させて設定し、ステップＳ１２に戻り本処理を継続する。
【００５５】
なお、上記説明では、ネットワーク識別情報が“０ｘ７Ｅ８Ｅ”のときであっても異なる放送局としてプリセットメモリに登録するようにしたが、放送内容を判定して同一の場合には、いずれか一つの放送局をプリセットメモリに登録するようにしてもよい。放送内容の判定は、ステップＳ１８においてＥＩＴを取得し、その情報を基に同一内容か否かを判定する。例えば、取得したＥＩＴから、番組の名称、放送日時、内容の説明を抽出し、これらの情報が同一の場合に放送内容が同一であると判定する。同一内容の放送のときは、ステップＳ２２と同様にして、電波受信状態の良い周波数を選択してプリセットメモリ１１に登録する。
【００５６】
また、上記説明では、デジタルテレビ放送を対象としたが、デジタルラジオ放送も同様に適用可能である。デジタルラジオ放送の場合は、図３のステップＳ１１においてデジタルラジオ放送の最低周波数を設定し、図３のステップＳ２３では、デジタルラジオ放送の最高周波数か否かを判定する。また、図３のステップＳ１９では、ネットワーク識別情報を“０ｘ８３ＦＦ”として、受信した周波数の放送がデジタルラジオ・ローカルサービスか否かを判断する。
【００５７】
次に、チャンネルスキャンでチューニングされた放送局の放送形式がエリア限定ワンセグ放送であることをＴＭＣＣの情報を基に判定する処理を含めたチャンネルスキャン処理について図４のフローチャートを参照しながら説明する。
【００５８】
図４のステップＳ３１からステップＳ３６は、図３のステップＳ１１からステップＳ１６までの処理と同様であるので説明を省略する。
【００５９】
図４のステップＳ３７において、放送形式がワンセグのみか否かを判定する。この判定は、次のようにして行う。制御部１０は、ＴＭＣＣ復号部４から取得したＴＭＣＣのデータを解析し、ＴＭＣＣシステム識別が０（ＴＶ）であり、ＴＭＣＣ部分受信フラグが１（部分受信あり）であり、かつ、ＴＭＣＣ階層Ｂキャリア変調方式が７（階層なし）のとき、ワンセグ放送のみを行っていることを意味している。そして、通常、ワンセグだけの認可を受けた放送局が存在する可能性は低いため、この条件を満たしたとき、その放送はエリア限定ワンセグ放送であると判定する。
【００６０】
放送形式がワンセグのみと判定されたときは、ステップＳ４２に移行し、その放送波の受信周波数をプリセットメモリに登録する。放送形式がワンセグのみでないと判定されたときは、ステップＳ３８に移行する。
【００６１】
次のステップＳ３８において、放送形式がフルセグのみか否かを判定する。この判定は、次のようにして行う。制御部１０は、ＴＭＣＣ復号部４から取得したＴＭＣＣのデータを解析し、ＴＭＣＣシステム識別が０（ＴＶ）であり、ＴＭＣＣ部分受信フラグが０（部分受信なし）のとき、フルセグのみの放送を行っていると判定する。
【００６２】
放送形式がフルセグのみと判定されたときは、ステップＳ４３に移行する。放送形式がフルセグのみでないと判定されたときは、ステップＳ３９に移行する。この場合は、放送形式がワンセグ及びフルセグの両方の場合である。
【００６３】
次のステップＳ３９からステップＳ４６は、図３のステップＳ１７からステップＳ２４と同様である。すなわち、ネットワーク識別情報を取得してそれがエリア限定ワンセグ特有の“０ｘ７Ｅ８Ｅ”か否かを判定し、“０ｘ７Ｅ８Ｅ”のときにはその放送波の周波数をプリセットメモリに登録し、ネットワーク識別情報が“０ｘ７Ｅ８Ｅ”でないときは、電波受信状態の良い受信周波数を選択してプリセットメモリ１１に登録する。
【００６４】
以上説明したように、本実施形態のデジタル放送受信装置及びデジタル放送受信方法では、地上デジタル放送においてエリア限定ワンセグ放送が行われているときに、受信可能な複数のエリア限定ワンセグ放送のすべてを登録するようにしている。また、エリア限定ワンセグ放送が同一内容の放送のときには、そのうちの受信状態が最良の放送局を登録するようにしている。これにより、エリア限定ワンセグ放送のネットワーク識別が同一であるために、放送内容が異なる放送であってもいずれか一つの放送局だけが選択されて登録されてしまうことを回避でき、異なる放送のすべてを視聴可能にすることができる。
【符号の説明】
【００６５】
１…アンテナ、
２…チューナ、
３…ＯＦＤＭ復調部、
４…ＴＭＣＣ復号部、
５…誤り訂正部、
６…デマルチプレクサ部、
７…オーディオデコーダ部、
８…ビデオデコーダ部、
９…データデコーダ部、
１０…制御部、
１１…プリセットメモリ、
１２…操作部、
１３…表示部、
１００…デジタル放送受信装置。
【図１】
0005399279.tif 000002
【図２】
0005399279.tif 000003
【図３】
0005399279.tif 000004
【図４】
0005399279.tif 000005